(57)【要約】【課題】  股当て部に保水力の高い素材を配置すると共に、股当て部の両側に防水布を配置して尿の横漏れ防止し、さらに、防水布部分を薄く形成して装着時のかさばりを防止する。【解決手段】  腰の後ろ側を被覆する腰当て部１と、その腰当て部１から前方に延びて股間領域を被覆するる股当て部２と、その股当て部２からさらに前方に延びて下腹部を被覆する前当て部３とを備えた布おむつであって、股当て部２の吸水部の両側に防水布５を配置し、その防水布５によって足の付け根周りを取り巻き、尿の横漏れを防止する。【選択図】        図１
2005111121.tif 000002
【特許請求の範囲】
【請求項１】
腰の後ろ側を被覆する腰当て部と、その腰当て部から前方に延びて股間領域を被覆するる股当て部と、その股当て部からさらに前方に延びて下腹部を被覆する前当て部とを備えた布おむつであって、
股当て部の吸水部の両側に防水布を配置し、その防水布によって足の付け根周りを取り巻き、尿の横漏れを防止することを特徴とする布おむつ。
【請求項２】
前記股当て部の中央部を吸水性シートを積層して厚く形成し、一方、前当て部の両側の防水布部分を薄く形成し、それによって装着時のかさばり防止し、さらに、防水布の外縁にゴムを配設し、そのゴムを収縮させて横漏れ防止用のダム部を形成したことを特徴とする請求項１記載の布おむつ。
【請求項３】
前記腰当て部の左右両側に横羽部を形成して臀部の被覆面積を広く確保し、一方、前当て部の先端領域を延長し、その延長部分を吸水素材を露出させた布部で形成し、その延長部分を排泄物の拭き取り布として使用可能とした請求項１または２記載の布おむつ。
【発明の詳細な説明】
【技術分野】
【０００１】
本発明は布おむつに関するものである。
【背景技術】
【０００２】
病院、介護施設、老人ホーム等の各種施設又は介護家庭では、幼児、高齢者、病人、身体障害者用として、使い捨てのおむつや繰返し使用可能な布おむつが用いられている。
これらのおむつとしては、単に、吸水性シートを折り畳むことにより厚さのある保水布を形成したもの、または、広く腰回りから股間領域、下腹部を覆うように成形加工したおむつ等が使用されている。  
おむつを装着する際には、使用者の腰の後ろ側から前に掛けて、股間領域を覆うようにおむつをあてがい、その外側からおむつカバーを被覆して、身体に密着させ、尿等が外部に漏れることを防止する。
そして、これらのおむつは、便や尿漏れを防ぎ、内部が蒸れないこと、運動の妨げにならないこと、着用感がよいこと、軽量であること等の条件を備えることが必要である。そして、おむつの使用者にとっては、柔軟で肌触りがよいことが求められる一方、ずれを防止して確実に装着できるものでなければならない。
そして、このような布おむつに関する技術として特開２００１−７９０３３号公報記載の技術が知られている。
【特許文献１】特開２００１−７９０３３号公報
【発明の開示】
【発明が解決しようとする課題】
【０００３】
しかしながら、保水性に優れた紙おむつは、一度使用した後は廃棄処分となるため、不経済であると共に、資源の無駄にもつながるという問題があった。
一方、布おむつは洗濯することにより反覆して使用できる利点を有しているが、布地の保水力を確保することが難しく、２重、３重に装着しなくては充分な保水効果が得られず、装着に手間を要し、又、かさばって装着感が悪いという問題があった。
また、布おむつの場合は、布地を単に股間にあてがうだけでは、尿などが隙間からもれやすく、布団やベッド等を汚すおそれがあった。また、布地が保水するため、布地の表面がいつまでも湿った状態となり、装着感が悪く、かぶれなども生じやすい。
【０００４】
本発明はかかる従来の問題点を解決するためになされたものであって、その目的とするところは、股当て部に保水力の高い素材を配置すると共に、股当て部の両側に防水布を配置して尿の横漏れ防止し、さらに、防水布部分を薄く形成して装着時のかさばりを防止する布おむつを提供することにある。
【課題を解決するための手段】
【０００５】
前記目的を達成するための手段として、請求項１記載の布おむつでは、腰の後ろ側を被覆する腰当て部と、その腰当て部から前方に延びて股間領域を被覆する股当て部と、その股当て部からさらに前方に延びて下腹部を被覆する前当て部とを備えた布おむつであって、股当て部の吸水部の両側に防水布を配置し、その防水布によって足の付け根周りを取り巻き、尿の横漏れを防止する構成とした。
【０００６】
請求項２記載の布おむつでは、請求項１記載の布おむつにおいて、前記股当て部の中央部を吸水性シートを積層して厚く形成し、一方、前当て部の両側の防水布部分を薄く形成し、それによって装着時のかさばり防止し、さらに、防水布の外縁にゴムを配設し、そのゴムを収縮させて横漏れ防止用のダム部を形成した。
【０００７】
請求項３記載の布おむつでは、請求項１または２記載の布おむつにおいて、前記腰当て部の左右両側に横羽部を形成して臀部の被覆面積を広く確保し、一方、前当て部の先端領域を延長し、その延長部分を吸水素材を露出させた布部で形成し、その延長部分を排泄物の拭き取り布として使用可能とした。
【発明の効果】
【０００８】
請求項１記載の布おむつにおいては、股当て部の両側に防水布を配置したので、装着時には防水布によって足の付け根周りが取り巻かれ、尿の横漏れを防止する。
横に反れようとする尿は防水布によってガードされ、ガードされた尿は防水布を伝って中央に集約され、股当て部に吸収される。
【０００９】
請求項２記載の布おむつにおいては、股当て部の中央部を吸水性シートを積層して厚く形成したので、保水力が向上する。一方、前当て部の横縁に行くに従って徐々に薄く形成したので、保水力を向上させた上で、装着時のかさばりを防止する。
また、防水布の外縁にゴムを配設し、そのゴムを収縮させて横漏れ防止用のダム部を形成したので、ダム部が尿を受け止めて横漏れを防止する。
【００１０】
請求項３記載の布おむつにおいては、腰当て部の左右両側に横羽部を形成して臀部の被覆面積を広く確保したので、排泄量が多い場合であっても確実に保持する。
また、前当て部の先端領域を延長し、その延長部分を吸水素材を露出させた布部で形成したので、その延長部分を排泄物の拭き取り布として使用することができる。
【発明を実施するための最良の形態】
【００１１】
以下、図面に基づいて本発明の布おむつの最良の形態を説明する。
【実施例１】
【００１２】
図１は本発明の布おむつ内側の展開図、図２は本発明布おむつ外側の展開図、図３は布おむつの斜視図である。
本発明の布おむつは図１〜３に示すように、身体の臀部を覆う腰当て部１と、腰当て部から垂下して連結された股当て部２と、この股当て部からさらに垂下連結された前当て部３を有している。
腰当て部１は、使用者がおむつカバーを装着する際にほぼその腰のあたりに接する部分であり、左右に横羽部４を有して臀部を広く覆うことができるように構成されている。
股当て部２は腰部に続く股間領域を覆う部分であり、股当て部２はやや括れその両側には三日月状の防水布５（図２参照）が配置されている。
前当て部３は、股間に続く下腹部から、ウエストあたりまでを覆うようになっており、その両サイドは股当て部からやや拡幅され、その先端は延長されて前布６が形成されている。
【００１３】
前記股当て部の中央部分は吸水層（吸水部）であり、その両側を挟んで防水布５が配置されている。この防水布５は液体を通過させない素材であり、防水布５は円弧状のラインＡに沿って本体外側に縫製接合され、全体形状は三日月状とされ、その外縁７にはゴムが配設されている。この外縁７はゴムテープを縁取り逢着したものであり、このゴムは伸縮自在であるので、収縮した状態でひだ（ギャザー）が形成され、横漏れ防止用のダム部８が形成されている。
尚、この外縁７にはゴムテープの他、外縁７に沿ってゴム紐を挿通することによっても、同一の効果を得ることができる。
装着時にはこのゴムの配設部分（外縁７）が足の付け根周りを取り巻き尿の横漏れを防止する。
防水布５は横に反れる尿をガードし、ガードされた尿は防水布５を伝って中央に集まり、中央の吸水層に吸収される。
本実施例では防水布５の全長は前当て部３と腰当て部１にまで達する長さとなっているが、防水布５の幅、長さについては使用者の身体に応じて設定することができ、装着時に防水布が足の付け根周りを取り巻き、横漏れを防止する構成であれば、その大きさは任意に設定できる。
【００１４】
また、布おむつの外側表面は図２に示すように、股当て部２の両側に防水布５が配置され、その防水布５に挟まれた股当て部３は吸水可能の吸水素材が露出した構成となっている。
布おむつの外側には吸水素材を露出させたので、万が一尿漏れが発生した場合には、布おむつとその外側のおむつカバーの間に侵入した尿は裏側から吸収されおむつカバーから尿漏れを起こさない。
また、防水布５部分は外側の防水布面と、内側の起毛素材面よりなる薄い素材によって、構成されている。尚、防水布５の上側に部分的に強力保水不織布１１が重なるが、この防水布５部分は股当て部２に比べて薄く形成され、装着時のかさばりが防止されている。
尚、防水布部分を防水布面のみによって構成する場合でも、本発明と同一の効果を得ることができる。
【００１５】
布おむつの内側表面はポリエステルの起毛素材からなるさらさらした素材が使用されている。この起毛素材９は肌に接触する部分であり、尿を素早く透過させて、下のシートに吸収させた後は、肌にべたつかず、さらさらとした感触が維持される。
この起毛素材９は前布６を除いた内側全面に貼付され、腰当て部１、股当て部２、防水布５部分、前当て部３の内側表面を覆っている。
起毛素材９の下側には、股当て部に幅２００ｍｍ、長さ３７０ｍｍの吸水拡散素材１０（図１鎖線Ｂ囲稜部分）が配置され、尿がまずこの吸水拡散素材１０に吸収されるようになっている。
そして、吸水拡散素材１０の下側に、強力保水不織布１１（図１鎖線Ｃ囲稜部分）が配置されている。この強力保水不織布１１は幅３４０ｍｍ、長さ７２０ｍｍの広い面積を占めている。腰当て部から股当て部を通過して前当て部に達する部分を占めている。この強力保水不織布１１は一部防水布部分の上側に重なっている。
さらに、強力保水不織布１１の下側には、吸水拡散素材１２（図２網線部分）が配置され、幅５６０ｍｍ、長さ９００ｍｍの比較的広い面積を占め、外側の防水布５を除く全面を形成している。この吸水拡散素材１２は本体の裏側に露出し、布おむつとおむつカバーの間に流れ込んだ尿はこの裏側から吸収される。
【００１６】
前当て部３の先方には前当て部と同幅で十数ｃｍ延長させた前布６が接続されている。この前布は前述した吸水拡散素材１２を延長したものであり、起毛素材によって覆われておらず、表裏とも吸水性を備えた構成となっている。
起毛素材９は吸水性が無いため、汚物の拭き取りには適さないが、前布５は吸水性を備えているため、汚物の拭き取りを可能としている。
従来では、本体表面が起毛面からなるさらさらとした素材で覆われていたため、肌の拭き取りは、別途、布によって行わなければならなかったが、本発明では、比較的排泄物が被着しにくい前布６を接続して、拭き取り機能を付与している。
【００１７】
本発明の布おむつを装着すると、図４、図５に示すように、横羽部４が広く臀部を覆い、防水布５が足の付け根周りを取り巻き、尿の横漏れを防止する。
そして、防水布５部分は薄く構成されているので、かさばらずに股間領域にフィットする。また、ゴム紐による伸縮部を備えたダム部８が横に反れる尿をガードし、尿漏れを防止する。
さらに、排泄物が被着しにくい前当て部の前方に吸水布（前布６）を接続しているので、身体に付着した汚れは即座にこの前布で拭き取ることができる。
【００１８】
以上、本発明の実施例を説明したが、具体的な構成は前記実施例に限定されるものではなく、発明の要旨を逸脱しない範囲の設計変更等があっても本発明に含まれる。
例えば、前記実施例では、防水布の内側表面にを起毛素材９を重ねる構成としたが、防水布部分は一枚シートによって薄く形成し、かさばりを防止する構成としても本発明に含まれる。
【図面の簡単な説明】
【００１９】
【図１】本発明の布おむつ内側の展開図である。
【図２】本発明布おむつ外側の展開図である。
【図３】布おむつの斜視図である。
【図４】布おむつの装着した状態を示す前方斜視図である。
【図５】布おむつの装着した状態を示す後方斜視図である。
【符号の説明】
【００２０】
１  腰当て部  
２  股当て部
３  前当て部
４  横羽部
５  防水布
６  前布
７  外縁
８  ダム部
９  起毛素材
１０  吸水拡散素材
１１  強力保水不織布
【図１】
2005111121.tif 000003
【図２】
2005111121.tif 000004
【図３】
2005111121.tif 000005
【図４】
2005111121.tif 000006
【図５】
2005111121.tif 000007